(57)【要約】【課題】床面上の清掃を可能とすると共に、溝等や隙間に溜まった塵埃等を掃き出したり拭いたりすることを可能とする。【解決手段】モップ基部１１の下方を向く開口部には、軟質部材から成る弾力性を有する弾性芯部材１３の上部が固定され、下部はモップ基部１１から垂れ下がっている。また、弾性芯部材１３の長手方向の両端部は、モップ基部１１の長手方向の両端から側方にはみ出す大きさとされ、弾性芯部材１３の両面には、水平方向に向けて複数の凸条１３ａが設けられ、更に両面には凸条１３ａと平行に１個ずつの凹条溝１３ｂが形成されている。  モップ基部１１の両側には、シート係止部１１ａが形成され、不織布から成る使い捨ての清掃シート１４を係止して固定し得るようになっている。シート係止部１１ａに清掃シート１４の一部を押し込むことにより係止し、清掃シート１４は弾性芯部材１３の下面、両側面を覆う。【選択図】図１
2015013098.tif 000002
【特許請求の範囲】
【請求項１】
モップ基部と、該モップ基部の上部に取り付けた棒状の長柄と、前記モップ基部の下部に上部を固定した板体状の軟性部材から成り、両面の水平方向に向けて形成した複数の凸条を備えた弾性芯部材と、該弾性芯部材の下面及び両側面を覆い前記モップ基部に取り付け取り外し可能とした使い捨ての清掃シートとから構成したことを特徴とする掃除用モップ。
【請求項２】
前記弾性芯部材の両面に前記凸条と平行に前記凸条よりも前記モップ基部寄りに凹条溝をそれぞれ形成したことを特徴とする請求項１に記載の掃除用モップ。
【請求項３】
前記長柄は前記モップ基部に対し、ピンにより回動自在に連結し、前記回動は前記モップ基部の長手方向に沿った方向とすることを特徴とする請求項１又は２に記載の掃除用モップ。
【請求項４】
前記弾性芯部材の下部の厚みは上部の厚みよりも大きくしたことを特徴とする請求項１〜３の何れか１項に記載の掃除用モップ。
【請求項５】
前記弾性芯部材の長手方向の両端部が、前記モップ基部の長手方向の両端から側方にはみ出すことを特徴とする請求項１〜４の何れか１項に記載の掃除用モップ。
【請求項６】
前記弾性芯部材の前記清掃シートにより覆う部分は、複数枚重ねた構造としたことを特徴とする請求項１〜５の何れか１項に記載の掃除用モップ。
【請求項７】
前記清掃シートの幅は前記弾性芯部材の長手方向の幅よりも長くしたことを特徴とする請求項１〜６の何れか１項に記載の掃除用モップ。
【請求項８】
前記モップ基部の両面にはシート係止部を設け、前記清掃シートを取り付け取り外し可能としたことを特徴とする請求項１〜７の何れか１項に記載の掃除用モップ。
【発明の詳細な説明】
【技術分野】
【０００１】
本発明は、使い捨ての清掃シートを使用し、掃き掃除、拭き掃除に使用できる掃除用モップに関するものである。
【背景技術】
【０００２】
掃除用モップとしては、特許文献１のモップが知られている。図１１に示すように、ポール１が平板体状のモップ基台２の上面に回動自在に取り付けられ、モップ基台２の下面を覆うようにして取り付けた不織布等の払拭シート３を床面等に押し付けて拭き移動する。このように、床面を拭くことにより払拭シート３の繊維間で塵埃を絡め取り、床面等の塵埃を捕集できる。
【先行技術文献】
【特許文献】
【０００３】
【特許文献１】特開平８−２８０５９７号公報
【発明の概要】
【発明が解決しようとする課題】
【０００４】
しかし、特許文献１の清掃用モップにあっては、ポール１を持って床面等を拭くために、モップ基台２の下面の床当接面の面積が大きくされている。従って、例えば敷居溝や家具の隙間等の縦長の狭い個所に対する清掃はなかなか困難である。
【０００５】
また、特許文献１の掃除用モップでは、天井や壁等の高い場所については、掃除することができなかった。
【０００６】
本発明の目的は、上述の課題を解消し、掃き掃除、拭き掃除を可能とすると共に、溝や隙間等に溜まった塵埃や天井や壁等に付着した塵埃等を拭いたり掃き出すことが可能な掃除用モップを提供することにある。
【課題を解決するための手段】
【０００７】
上述の目的を達成するための本発明に係る掃除用モップは、モップ基部と、該モップ基部の上部に取り付けた棒状の長柄と、前記モップ基部の下部に上部を固定した板体状の軟性部材から成り、両面の水平方向に向けて形成した複数の凸条を備えた弾性芯部材と、該弾性芯部材の下面及び両側面を覆い前記モップ基部に取り付け取り外し可能とした使い捨ての清掃シートとから構成したことを特徴とする。
【発明の効果】
【０００８】
本発明に係る掃除用モップによれば、モップ基部の下部に板体状の弾性芯部材を固定し、この弾性芯部材の下面から側面にかけて清掃シートを被覆して取り付けたので、弾性芯部材を撓めてその弾性力により塵埃の掃き出し拭き取りが可能であり、また弾性芯部材を家具の隙間や溝等に挿し込んで清掃することができる。
【図面の簡単な説明】
【０００９】
【図１】清掃シートを取り外した状態の掃除用モップの斜視図である。
【図２】実施例１の要部拡大断面図である。
【図３】実施例１の使用説明図である。
【図４】実施例１の使用説明図である。
【図５】実施例１の使用説明図である。
【図６】実施例２の要部拡大断面図である。
【図７】実施例２の使用説明図である。
【図８】実施例２の変形例１の要部拡大断面図である。
【図９】実施例２の変形例２の要部拡大断面図である。
【図１０】実施例２の変形例３の要部拡大断面図である。
【図１１】従来例の斜視図である。
【発明を実施するための形態】
【００１０】
本発明を図１〜図５に図示の実施例に基づいて詳細に説明する。
【実施例１】
【００１１】
図１は実施例１の清掃シートを取り外した状態の掃除用モップの斜視図、図２は清掃シートを取り付けた状態の要部拡大断面図である。
【００１２】
この掃除用モップはモップ基部１１、長柄１２、弾性芯部材１３、清掃シート１４から構成されている。モップ基部１１は下方に向けて開口を有する断面コ字状の幅方向に長い合成樹脂製であり、このモップ基部１１の上部に、棒状の長柄１２がピン１５を介して回動自在に連結されている。ピン１５はモップ基部１１の幅方向である長手方向と直交する短手方向に沿って配置されているので、長柄１２はモップ基部１１に対して長手方向に沿って矢印のように回動可能とされている。
【００１３】
モップ基部１１の下方を向く開口部には、軟質部材から成る弾力性を有する弾性芯部材１３の上部が内挿されて固定されている。弾性芯部材１３はポリスチレン、ウレタン、エチレン・酢酸ビニル共重合体（ＥＶＡ）等の合成樹脂製の軟性部材から成る樹脂発泡体で構成され、横長の板体状である。弾性芯部材１３の下部の厚みは上部の厚みよりも大きく、断面は稍々末拡がり状とされ、上部はモップ基部１１に固定され、下部はモップ基部１１から垂れ下がっている。
【００１４】
下部の厚みが上部の厚みよりも大きくなる弾性芯部材１３以外に、下部の厚みと上部の厚みが同じである弾性芯部材や、下部の厚みが上部の厚みより小さくなり、断面が先端に行くにつれ徐々に細くなる形状の弾性芯部材を用いてもよい。
【００１５】
また、弾性芯部材１３の長手方向の長さは、モップ基部１１の長手方向の長さよりも長くされており、モップ基部１１の下方を向く開口部に弾性芯部材１３を固定すると、弾性芯部材１３の長手方向の両端部はモップ基部１１の長手方向の両端から側方にはみ出している。
【００１６】
弾性芯部材１３の両面には、水平方向に向けて複数の凸条１３ａが設けられ、更に両面には凸条１３ａと平行に例えば１個ずつの凹条溝１３ｂが形成されている。この凹条溝１３ｂは凸条１３ａよりも上部のモップ基部１１寄りに設けられており、弾性芯部材１３の屈曲が容易となる。
【００１７】
モップ基部１１の両側には、例えばそれぞれ２個ずつのシート係止部１１ａが形成され、必要に応じて清掃シート１４を押し込み式のシート係止部１１ａに係止して固定し得るようになっている。このシート係止部１１ａはモップ基部１１の中空部分の側部の薄肉部１１ｂに形成されており、薄肉部１１ｂにギザギザの破断部を設け、この破断部に清掃シート１４の一部を押し込むことにより係止するようになっている。また、清掃シート１４をシート係止部１１ａから引き抜くことにより取り外し、清掃シート１４は容易に着脱可能とされている。
【００１８】
例えば不織布から成る使い捨ての清掃シート１４は、塵埃が表面に付着し易い繊維状材質のものであり、弾性芯部材１３の下面、両側面を覆うように装着する。清掃シート１４の４個所をモップ基部１１のシート係止部１１ａに外側から押し込むことにより、モップ基部１１に清掃シート１４を食い込ませて取り付けられる。また、清掃シート１４は不織布の他に一般的な布体や紙材等も適用可能である。
【００１９】
長柄１２は木製、合成樹脂製、金属製等の様々の材料を用いることが可能であるが、軽量で適度な強度を有し、かつ錆びることのないアルミ製が好ましい。モップ基部１１についても長柄１２と同様に、木製、合成樹脂製、金属製等の様々の材料を用いることが可能であるが、軽量で安価な点で、合成樹脂製とすることが好適である。弾性芯部材１３については軽量で安価な点で、軟質合成樹脂発泡体であることが望ましい。また、長柄１２は長さを調整可能であり、掃除する場所に応じて適宜の長さに長柄１２を調整、固定して使用する。
【００２０】
使用に際しては、清掃シート１４を弾性芯部材１３に取り付ける。清掃シート１４で覆った弾性芯部材１３を床面に対して箒のように図３の矢印方向に掃くと、弾性芯部材１３の表面の凹条溝１３ｂにより、弾性芯部材１３の表面は容易に屈曲させることができ、屈曲した弾性芯部材１３に装着した清掃シート１４により塵埃を付着、掃き出すことができる。なお、このときピン１５により長柄１２はモップ基部１１に対しモップ基部１１の長手方向に沿って回動可能ではあるが、モップ基部１１の短手方向である矢印方向には回動することはないので、弾性芯部材１３を矢印方向に動かしてもモップ基部１１が厚み方向である短手方向に対して折れ曲がるようなことはない。
【００２１】
図３の矢印方向に掃き出すと、弾性芯部材１３は撓ってその弾性力により塵埃の掃き出し、拭き取りが可能となる。矢印方向に掃き出すと屈曲した弾性芯部材１３の凸条１３ａの頂部は清掃シート１４に接して、清掃シート１４が床面に接する。このような状態で、弾性芯部材１３を床面に沿って摺動させると、凸条１３ａ間の隙間の清掃シート１４に塵埃が溜まり易くなり、清掃シート１４の表面に形成された隙間に多くの塵埃を付着させることができる。更に、箒のように掃き出すと、清掃シート１４に付着することのない大きさの塵埃を寄せ集めることができる。
【００２２】
また、弾性芯部材１３の下部の厚みは上部の厚みよりも大きくなっており、弾性芯部材１３の重心は下方にあるので、掃いたり拭く場合の弾性芯部材１３の屈曲が容易となる。
【００２３】
更に、弾性芯部材１３を図４に示すように床面に対して強く這わせることで、床面上の汚れを清掃シート１４により拭き取ることができる。清掃シート１４が弾性芯部材１３の凸条１３ａの頂部に接触し、各凸条１３ａに接する清掃シート１４により床面を拭くので、床面の汚れを効果的に清掃をすることができる。
【００２４】
弾性芯部材１３を屈曲させ、拭き取ることは床面だけでなく、天井、壁面、窓ガラス面等に対して、掃除用モップの長柄１２によりモップ基部１１を持ち上げながら使用することも可能である。
【００２５】
隙間や溝の掃除については、図５に示すように弾性芯部材１３の下面や角部を壁１６と家具１７との隙間等に挿し込んで矢印の方向に動かすことで、清掃シート１４により掃除をすることができる。この場合に、長柄１２はモップ基部１１の長手方向に対し回動が可能なので、この回動を利用して通常では届き難い個所、例えば冷蔵庫の裏側等のような窮屈な個所にモップ基部１１を押し込んで掃除することができる。
【００２６】
また、弾性芯部材１３の両端はモップ基部１１に対してはみ出しているので、冷蔵庫の裏側等のような窮屈な個所に弾性芯部材１３を押し込んでも、硬質のモップ基部１１の端部が壁面や家具等に接触することはなく、弾性芯部材１３の端部が壁面や家具等に接触することになるので、壁面や家具等を傷付けることはない。
【００２７】
モップ基部１１を長手方向に動かす掃除は、ブラインド等の掃除に対しても行うことができる。掃除用モップの長柄１２により持ち上げたモップ基部１１を各ブラインドに沿ってその長手方向に摺動させることで容易に掃除を行うことが可能である。
【００２８】
また、清掃シート１４の幅は弾性芯部材１３の長手方向の幅よりも長く、弾性芯部材１３からはみ出しているので、弾性芯部材１３の横方向の側面を利用して掃除をする場合でも、弾性芯部材１３が直接に被清掃面に接することは少ない。
【００２９】
また、清掃シート１４の表面に塵埃が付着して汚れが多くなったり、清掃シート１４が破断した場合には適宜に交換して、掃除用モップの使用を続けることができる。
【実施例２】
【００３０】
図６は実施例２の掃除用モップに清掃シート１４を取り付けた状態の要部拡大断面図である。なお、実施例１と同一の部材には、同一の符号を付し説明は省略する。
【００３１】
本実施例２における清掃用モップは、２枚の弾性芯部材２１ａ、２１ｂを重ねて、モップ基部１１に内挿して固定されている。弾性芯部材２１ａ、２１ｂには実施例１の弾性芯部材１３のように、それぞれの外側面に凸条２１ｃと凹条溝２１ｄとが形成されている。
【００３２】
このように、２枚の弾性芯部材２１ａ、２１ｂを用いることにより、弾性芯部材の柔軟性が増加し、掃除がし易くなる。つまり、塵埃の掃き出し時には、図７に示すように、２枚重ねの構造の弾性芯部材２１ａ、２１ｂが相互にずれることにより屈曲し易くなり、床面に対する清掃シート１４の接触面積が大きくなり、清掃効率が向上する。なお、凸条２１ｃ、凹条溝２１ｄの作用効果は実施例１と同様である。
【００３３】
また、弾性芯部材２１ａ、２１ｂの間に板状の弾性部材を挟んで３枚以上を重ねた構造にしてもよい。この場合は、更に屈曲し易くなり、床面に対する清掃シート１４の接触面積が大きくなる。
【００３４】
また、図８に示す実施例２の変形例１の弾性芯部材２２は、先端部にスリット溝２３が設けられている。このスリット溝２３により２枚重ねの弾性芯部材２２ａ、２２ｂが形成される。弾性芯部材２２ａ、２２ｂの外側面には、凸条２２ｃ、凹状溝２２ｄが実施例１と同様に設けられている。
【００３５】
更には、図９に示す変形例２のように、１枚の弾性芯部材２４を２つ折りにして弾性芯部材２４ａ、２４ｂとされ、その折曲部２５がモップ基部１１に固定されている。弾性芯部材２４ａ、２４ｂのそれぞれの外側面には、下方に向けて順に凹条溝２４ｄ、凸条２４ｃが配置されている。
【００３６】
変形例１、２の掃除用モップは、図７に示すように、塵埃の掃き出し時に、２枚重ねの構造の弾性芯部材２２ａ、２２ｂ、弾性芯部材２４ａ、２４ｂが相互にずれることにより屈曲し易くなり、床面に対する清掃シート１４の接触面積が大きくなる。
【００３７】
また、図１０に示す変形例３では、折曲部２５を清掃用モップの先端側に配置している。弾性芯部材２４の弾性芯部材２４ａ、２４ｂのそれぞれの外側面には、上方に向けて順に凸条２４ｃ、凹条溝２４ｄ、モップ基部１１に固定する固定部が配置されている。
【符号の説明】
【００３８】
１１  モップ基部
１１ａ  シート係止部
１２  長柄
１３、２１ａ、２１ｂ、２２、２２ａ、２２ｂ、２４、２４ａ、２４ｂ  弾性芯部材
１３ａ、２１ｃ、２２ｃ、２４ｃ  凸条
１３ｂ、２１ｄ、２２ｄ、２４ｄ  凹条溝
１４  清掃シート
１５  ピン
１６  壁
１７  家具
２３  スリット溝
２５  折曲部
【図１】
2015013098.tif 000003
【図２】
2015013098.tif 000004
【図３】
2015013098.tif 000005
【図４】
2015013098.tif 000006
【図５】
2015013098.tif 000007
【図６】
2015013098.tif 000008
【図７】
2015013098.tif 000009
【図８】
2015013098.tif 000010
【図９】
2015013098.tif 000011
【図１０】
2015013098.tif 000012
【図１１】
2015013098.tif 000013